(57)【特許請求の範囲】
【請求項１】
外壁パネルと、当該外壁パネルの裏面を覆う断熱パネルを有する複合パネルを建物の軸組に取り付ける方法であって、
前記外壁パネルの裏面における前記軸組に固定するための下部固定部を含む下部領域に、前記断熱パネルが分割されて形成された下部断熱パネルが取り付けられた状態で、前記外壁パネルの前記下部断熱パネルが取り付けられていない部分に吊りベルトを巻き付ける工程と、
前記吊りベルトにより前記外壁パネルを吊り上げて移動させ、前記軸組の外壁パネル支持部に支持させる工程と、
前記吊りベルトを取り外す工程と、
前記外壁パネルの裏面における前記軸組に固定するための上部固定部を含み前記下部断熱パネルが取り付けられていない上部領域に、前記断熱パネルが分割されて形成された上部断熱パネルを取り付ける工程と、
前記外壁パネルの前記下部固定部及び前記上部固定部を前記軸組の下部取り付け部及び上部取り付け部に固定する工程と、を有する、複合パネルの取り付け方法。
【請求項２】
前記上部断熱パネルの前記外壁パネルへの取り付け時には、前記上部断熱パネルに形成された貫通孔を、前記外壁パネルの上部固定部のボルトに挿入することによって上部断熱パネルを位置決めする、請求項１に記載の複合パネルの取り付け方法。
【請求項３】
前記断熱パネルは、前記下部断熱パネル、前記上部断熱パネル、及び中間断熱パネルに分割されており、
前記中間断熱パネルを、前記外壁パネルを前記軸組に固定した後に、前記外壁パネルに取り付ける、請求項１又は２に記載の複合パネルの取り付け方法。
【請求項４】
建物の軸組に取り付けられ、外壁パネルと当該外壁パネルの裏面を覆う断熱パネルとを有する複合パネルであって、
前記断熱パネルの幅寸法及び高さ寸法は、前記外壁パネルの幅寸法及び高さ寸法にほぼ等しく対応しており、
前記断熱パネルが少なくとも、前記外壁パネルの裏面における前記軸組に固定するための下部固定部を含む下部領域を覆う下部断熱パネルと、前記外壁パネルの裏面における前記軸組に固定するための上部固定部を含む上部領域を覆う上部断熱パネルに分割され、
少なくとも前記上部断熱パネルが前記外壁パネルに対し取り外し自在であり、
前記上部断熱パネルを前記外壁パネルから取り外した際に、前記外壁パネルの裏面における上下方向の中心位置よりも上方の領域が少なくとも露出する、複合パネル。
【請求項５】
建物の軸組に取り付けられ、外壁パネルと当該外壁パネルの裏面を覆う断熱パネルとを有する複合パネルであって、
前記断熱パネルの幅寸法及び高さ寸法は、前記外壁パネルの幅寸法及び高さ寸法にほぼ等しく対応しており、
前記断熱パネルが少なくとも、前記外壁パネルの裏面における前記軸組に固定するための下部固定部を含む下部領域を覆う下部断熱パネルと、前記外壁パネルの裏面における前記軸組に固定するための上部固定部を含む上部領域を覆う上部断熱パネルと、前記外壁パネルの裏面における前記軸組に固定するための固定部を有さない、前記下部領域と上部領域の間の中間領域を覆う中間断熱パネルに分割され、
少なくとも前記上部断熱パネル又は前記中間断熱パネルのいずれかが前記外壁パネルに対し取り外し自在であり、
前記中間断熱パネルを前記外壁パネルから取り外した際に、前記外壁パネルの裏面における上下方向の中心位置よりも上方の領域が少なくとも露出する、複合パネル。
【発明の詳細な説明】
【技術分野】
【０００１】
本発明は、外壁パネルと断熱パネルとを有する複合パネルの取り付け方法及び複合パネルに関する。
【背景技術】
【０００２】
従来より、柱梁等の軸組に鉄骨部材を用いた鉄骨造建物において、外壁パネル裏面に沿って断熱材を配置することが行われている。
【０００３】
この際、熱橋による断熱性の低下を防止する為に、外壁パネルが軸組を構成する柱や梁などと近接する部位も含め全面的に軸組の外側に断熱層を構成する（すなわち外貼り断熱工法とする）のが好ましい。
【０００４】
一般に断熱材は繊維質材料や発泡性材料からなり、圧縮強度が低い。従って、スチール等金属製の枠体の中に断熱材を充填し断熱材に圧縮力が作用しないようにする工法が提案されている（例えば特許文献１、２）。
【０００５】
しかしながら、このような枠体を設ける工法では、枠体が熱橋を形成してしまうという問題や、枠体の使用がコスト増に繋がるという問題がある。
【０００６】
一方、本件出願人は、特許文献３において、枠体を用いることなく外貼り断熱工法を実現する、軸組への断熱材の取付構造を提案している。
【先行技術文献】
【特許文献】
【０００７】
【特許文献１】特開平７−２８６４０４号公報
【特許文献２】特開平１０−１２１６４９号公報
【特許文献３】特開２００５−０３６５８３号公報
【発明の概要】
【発明が解決しようとする課題】
【０００８】
上記断熱材の取付構造の施工では、予め工場等で外壁パネルと断熱パネルとを一体化し複合パネルを形成しておき、建築現場にて、複合パネルに吊りベルトを巻き付け、クレーンで吊り上げて、建物の軸組に取り付けるという工法が考えられる。このような複合パネル単位で取り付ける工法は、現場作業の省力化と品質の均一を図る上で有効である。しかしながら、この工法を採用した場合、複合パネルを吊り上げた際にクレーンのベルトで断熱パネルの側端部が押しつぶされ圧壊する恐れがある。
【０００９】
本発明はかかる点に鑑みてなされたものであり、複合パネルを軸組に取り付ける方法において、断熱パネルの圧壊を防止することをその目的とする。
【課題を解決するための手段】
【００１０】
上記目的を達成するための本発明は、外壁パネルと、当該外壁パネルの裏面を覆う断熱パネルを有する複合パネルを建物の軸組に取り付ける方法であって、前記外壁パネルの裏面における前記軸組に固定するための下部固定部を含む下部領域に、前記断熱パネルが分割されて形成された下部断熱パネルが取り付けられた状態で、前記外壁パネルの前記下部断熱パネルが取り付けられていない部分に吊りベルトを巻き付ける工程と、前記吊りベルトにより前記外壁パネルを吊り上げて移動させ、前記軸組の下部取り付け部に置く工程と、前記吊りベルトを取り外す工程と、前記外壁パネルの裏面における前記軸組に固定するための上部固定部を含み前記下部断熱パネルが取り付けられていない上部領域に、前記断熱パネルが分割されて形成された上部断熱パネルを取り付ける工程と、前記外壁パネルの前記下部固定部及び前記上部固定部を前記軸組の下部取り付け部及び上部取り付け部に固定する工程と、を有する。
【００１１】
本発明によれば、外壁パネルを吊り上げる際に、吊りベルトを断熱パネルに巻き付けないので、断熱パネルの圧壊を防止できる。また、外壁パネルを吊り上げる前に、外壁パネルに下部断熱パネルが取り付けられているので、複合パネルの軸組への取り付け作業が簡単になる。
【００１２】
前記上部断熱パネルの前記外壁パネルへの取り付け時には、前記上部断熱パネルに形成された貫通孔を、前記外壁パネルの上部固定部のボルトに挿入することによって上部断熱パネルを位置決めするようにしてもよい。かかる場合、外壁パネルの裏面への断熱パネルの位置決め作業が容易になる。
【００１３】
また、前記断熱パネルは、前記下部断熱パネル、前記上部断熱パネル、及び中間断熱パネルに分割されており、前記中間断熱パネルを、前記外壁パネルを前記軸組に固定した後に、前記外壁パネルに取り付けるようにしてもよい。かかる場合、軸組への取り付けが行われる上部断熱パネルや下部断熱パネルの寸法を小さくすることができるので、例えば高所の不安定な場所での取り付け作業を速やかに行うことができる。
【００１４】
別の観点による本発明は、建物の軸組に取り付けられ、外壁パネルと当該外壁パネルの裏面を覆う断熱パネルとを有する複合パネルであって、前記断熱パネルの幅寸法及び高さ寸法は、前記外壁パネルの幅寸法及び高さ寸法にほぼ等しく対応しており、前記断熱パネルが少なくとも、前記外壁パネルの裏面における前記軸組に固定するための下部固定部を含む下部領域を覆う下部断熱パネルと、前記外壁パネルの裏面における前記軸組に固定するための上部固定部を含む上部領域を覆う上部断熱パネルに分割され、少なくとも前記上部断熱パネルが前記外壁パネルに対し取り外し自在であり、前記上部断熱パネルを前記外壁パネルから取り外した際に、前記外壁パネルの裏面における上下方向の中心位置よりも上方の領域が少なくとも露出する、複合パネルである。
【００１５】
本発明によれば、複合パネルの軸組への取り付け作業において外壁パネルを吊り上げる際に、上部断熱パネルを外してできた外壁パネルの裏面が露出した部分に吊りベルトを巻き付けることができる。よって、外壁パネルの吊り上げの際に吊りベルトを断熱パネルに巻き付けなくてよいので、断熱パネルの圧壊を防止できる。
【００１６】
別の観点による本発明は、建物の軸組に取り付けられ、外壁パネルと当該外壁パネルの裏面を覆う断熱パネルとを有する複合パネルであって、前記断熱パネルの幅寸法及び高さ寸法は、前記外壁パネルの幅寸法及び高さ寸法にほぼ等しく対応しており、前記断熱パネルが少なくとも、前記外壁パネルの裏面における前記軸組に固定するための下部固定部を含む下部領域を覆う下部断熱パネルと、前記外壁パネルの裏面における前記軸組に固定するための上部固定部を含む上部領域を覆う上部断熱パネルと、前記外壁パネルの裏面における前記軸組に固定するための固定部を有さない、前記下部領域と上部領域の間の中間領域を覆う中間断熱パネルに分割され、少なくとも前記上部断熱パネル又は前記中間断熱パネルのいずれかが前記外壁パネルに対し取り外し自在であり、前記中間断熱パネルを前記外壁パネルから取り外した際に、前記外壁パネルの裏面における上下方向の中心位置よりも上方の領域が少なくとも露出する、複合パネルである。
【発明の効果】
【００１７】
本発明によれば、断熱パネルの圧壊が防止されるため、均質で質の高い外壁を有する建物を建築できる。
【図面の簡単な説明】
【００１８】
【図１】（ａ）は、複合パネルの正面図であり、（ｂ）は、複合パネルの側面図である。
【図２】外壁パネルに上部断熱パネルと下部断熱パネルを取り付ける様子を示す複合パネルの説明図である。
【図３】外壁パネルに下部断熱パネルを取り付けた様子を示す複合パネルの説明図である。
【図４】外壁パネルの上部領域に吊りベルトを巻き付けた様子を示す複合パネルの説明図である。
【図５】軸組の外壁パネル支持部で支持させた様子を示す複合パネルの説明図である。
【図６】外壁パネルに上部断熱パネルを取り付けた様子を示す複合パネルの説明図である。
【図７】外壁パネルを軸組に取り付けた様子を示す複合パネルの説明図である。
【図８】複合パネルが並べて設けられた壁面を示す説明図である。
【図９】（ａ）は、断熱パネルが３分割されている複合パネルの正面図であり、（ｂ）は、複合パネルの側面図である。
【図１０】外壁パネルに下部断熱パネルを取り付けた様子を示す複合パネルの説明図である。
【図１１】外壁パネルの上部領域に吊下げベルトを巻き付けて軸組の下部取り付け部に置いた様子を示す複合パネルの説明図である。
【図１２】外壁パネルに上部断熱パネルを取り付けた様子を示す複合パネルの説明図である。
【図１３】外壁パネルを軸組に取り付けた様子を示す複合パネルの説明図である。
【図１４】中間断熱パネルを取り付けた様子を示す複合パネルの説明図である。
【図１５】複合パネルが並べて設けられた壁面を示す説明図である。
【図１６】寸法の異なる中間断熱パネルが取り付けられた複合パネルの壁面を示す説明図である。
【発明を実施するための形態】
【００１９】
以下、図面を参照して、本発明の好ましい実施の形態について説明する。図１は、本実施の形態に係る複合パネル１の構成の概略を示す説明図である。図１（ａ）は、複合パネル１の正面図であり、図１（ｂ）は、複合パネル１の側面図である。
【００２０】
本実施形態における建物は、例えば３０５ｍｍの平面モジュールＭを有する鉄骨造の工業化住宅である。複合パネル１は、建物の柱梁などからなる軸組に複数連接するように取り付けられ、建物の壁面を構成する。複合パネル１は、外壁パネル１０と、外壁パネル１０の裏面の全面を覆う断熱パネル１１を有している。
【００２１】
外壁パネル１０は、例えば軽量気泡コンクリートからなる。例えば外壁パネル１０の長さは、階高（下部梁天端から上部梁天端までの寸法）にほぼ等しく、幅寸法は基本的にＭ×１（３０５ｍｍ）とＭ×２（６１０ｍｍ）の２種類ある。
【００２２】
外壁パネル１０の裏面には、建物の軸組に固定するための下部固定部としての下部ボルト２０と、上部固定部としての上部ボルト２１が取り付けられている。下部ボルト２０及び上部ボルト２１は、外壁パネル１０の裏面に対して垂直方向に立設されている。下部ボルト２０及び上部ボルト２１は、外壁パネル１０に埋め込まれた埋め込みナット（図示せず）にねじ込まれて固定されている。
【００２３】
断熱パネル１１は、例えばフェノール樹脂発泡体（フェノールフォーム）の両面にポリエステル不織布を張り合わせたものである。断熱パネル１１の全体の幅寸法及び高さ寸法は、外壁パネル１０の幅寸法及び高さ寸法とほぼ等しく対応している。
【００２４】
断熱パネル１１は、例えば下部断熱パネル３０と上部断熱パネル３１に２分割されている。下部断熱パネル３０は、外壁パネル１０の裏面の下部ボルト２０を含む下部領域１０ａを覆い、上部断熱パネル３１は、外壁パネル１０の裏面の上部ボルト２１を含む上部領域１０ｂを覆っている。
【００２５】
図２に示すように下部断熱パネル３０と上部断熱パネル３１には、それぞれ下部ボルト２０、上部ボルト２１が通る貫通孔３２、３３が設けられている。下部断熱パネル３０と上部断熱パネル３１は、貫通孔３２、３３を下部ボルト２０や上部ボルト２１に嵌め込むことにより、外壁パネル１０の裏面の所定位置に保持される。なお、貫通孔３２と下部ボルト２０の間や、貫通孔３３と上部ボルト２１の間に、断熱パネル１１の厚みより長く外壁パネル１０の裏面に当接する円筒形のスペーサを設けて、外壁パネル１０から断熱パネル１１に伝わる圧力を低減してもよい。また、下部ボル２０や上部ボルト２１には、中間部に鍔を有し鍔の前後でネジの切り方が逆となっている特殊な固定ボルト（トルクレスボルト）を用いてもよく、かかる場合当該鍔を外壁パネル１０の裏面に接触するようにねじ入れ、当該鍔と後述のナット７１で断熱パネル３０、３１及び裏当てプレート７０を挟むようにしてもよい。
【００２６】
このように構成された外壁パネル１０と断熱パネル１１からなる複合パネル１は、建物の軸組に対し上下左右に並べられて取り付けられる。
【００２７】
次に、複合パネル１の軸組への取り付け方法について説明する。
【００２８】
先ず、例えば建築現場の空地や搬送用トラックの荷台等に裏面を上にした状態で置かれた外壁パネル１０の下部領域１０ａに、例えば図３に示すように、下部ボルト２０と上部ボルト２１を取り付け、更に外壁パネル１０の裏面に下部断熱パネル３１を取り付ける。なお、工場等において、予め外壁パネル１０に下部ボルト２０、上部ボルト２１、下部断熱パネル３０の全てあるいは一部を取り付けておいてもよく、また、上部断熱パネル３１も含めて取り付けておき、建築現場において、上部断熱パネル３１を取り外してもよい。
【００２９】
続いて、図４に示すようにクレーン用の吊りベルト（ナイロン等の合成繊維からなるスリングベルト）４０を、上部断熱パネル３１が取り付けられていない外壁パネル１０の上部領域１０ｂに巻きつける。その後、クレーンのフックに吊りベルト４０のリング状の端部を引っ掛けて外壁パネル１０を吊り上げる。そして、外壁パネル１０を、図５に示すように所定の位置まで移動させ、下部梁の上フランジに固定された下部取り付け部５０（外壁パネル１の荷重を支持するとともに高さ方向位置を規定する水平片５０ａと外壁パネル１０の下端部の厚さ方向位置を規定する鉛直片５０ｂとを有する）の水平片（外壁パネル支持部）５０ａ上に置き支持させる。このとき、外壁パネル１０の上部は、上部梁と離隔した状態（斜めの状態）を維持する。
【００３０】
その後、外壁パネル１０が作業員等の他の支持手段で支えられた状態で、図６に示すように吊りベルト４０を取り外す。そして、外壁パネル１０の上部領域１０ｂに上部断熱パネル３１を取り付ける。このとき、上部断熱パネル３１の貫通孔３３を上部ボルト２１に嵌め込んで、上部断熱パネル３１を位置決めも行う。
【００３１】
その後、図７に示すように断熱パネル１１（下部断熱パネル３０と上部断熱パネル３１）が取り付けられた外壁パネル１０を起立させ、軸組Ａの下部取り付け部５０の鉛直片５０ｂと上部梁の下フランジに固定された上部取り付け部６０（複合パネル１の上部側の厚さ方向位置を規定する鉛直片６０ａを有する）の鉛直片６０ａに、断熱パネル１１を当接させる。次に、鉛直片５０ｂを挟んだ状態で、裏当てプレート７０を下部ボルト２０に挿入し、その外側からナット７１を下部ボルト２０にねじ入れて締め付ける。また、鉛直片６０ａを挟んだ状態で、裏当てプレート７２を上部ボルト２１に挿入し、その外側からナット７３を上部ボルト２１にねじ入れて締め付ける。こうして、複合パネル１が軸組Ａに固定される。
【００３２】
図８に示すように複数の複合パネル１を順次軸組Ａに取り付け、建物の壁面を形成する。
【００３３】
以上の実施の形態によれば、外壁パネル１０を吊り上げて軸組Ａに搬送する際に、外壁パネル１０の裏面の上部断熱パネル３１のない上部領域１０ｂに吊りベルト４０を巻き付けているので、断熱パネル１１が圧壊することが防止される。また、軸組Ａに搬送される前に、外壁パネル１０に下部断熱パネル３０を取り付けておくので、高所での不安定な状態での取り付け作業が減り、複合パネル１の軸組Ａへの取り付け作業を安全且つ速やかに行うことができる。
【００３４】
また、上部断熱パネル３１の外壁パネル１０への取り付け時には、上部断熱パネル３１の貫通孔３３を外壁パネル１０の上部ボルト２１に挿入することによって上部断熱パネル３１を位置決めするようにしている。このため、外壁パネル１０の裏面における上部断熱パネル３１の位置決めを容易に行うことができる。
【００３５】
以上の実施の形態では、断熱パネル１１が２つに分割されていたが、３つに分割されていてもよい。かかる場合、例えば図９に示すように断熱パネル１１が、下部断熱パネル３０、上部断熱パネル３１、及び中間断熱パネル８０に分割されている。中間断熱パネル８０は、外壁パネル１０の裏面のボルト２０、２１がない中間領域１０ｃに取り付け自在である。なお、中間断熱パネル８０がある分、下部断熱パネル３０と上部断熱パネル３１の高さ寸法が小さくなっている。
【００３６】
かかる場合の複合パネル１の取り付け作業では、先ず、図１０に示すように上記実施の形態と同様に下部ボルト２０と上部ボルト２１を取り付けた外壁パネル１０に、下部断熱パネル３０を取り付ける。
【００３７】
次に、図１１に示すようにクレーン用の吊りベルト４０を、外壁パネル１０の上部断熱パネル３１及び中間断熱パネル８０が取り付けられていない上部領域１０ｂ又は中間領域１０ｃに巻きつける。その後、上記実施の形態と同様に、クレーンのフックに吊りベルト４０の端部を引っ掛けて外壁パネル１０を吊り上げ、所定位置まで移動させ、下部取り付け部５０の水平片５０ａ上に置き支持させる。
【００３８】
その後、上記実施の形態と同様に外壁パネル１０を作業員等の他の支持手段で支えた状態で、図１２に示すように吊りベルト４０を取り外し、外壁パネル１０の上部領域１０ｂに上部断熱パネル３１を取り付ける。
【００３９】
次に、図１３に示すように下部断熱パネル３０と上部断熱パネル３１を取り付けた外壁パネル１０を起立させ、外壁パネル１０を軸組Ａに対し上記実施の形態と同様に下部断熱パネル３０及び上部断熱パネル３１を介して固定する。その後、図１４に示すように中間断熱パネル８０を外壁パネル１０の中間領域１０ｃに嵌め込むことで、複合パネル１が軸組Ａに取り付けられる。
【００４０】
図１５に示すように複数の複合パネル１を順次軸組Ａに取り付け、建物の壁面が形成される。
【００４１】
本実施の形態によれば、断熱パネル１１を３つに分割することにより、下部断熱パネル３０と上部断熱パネル３１の高さ寸法を小さくすることができ、不安定な場所での軸組Ａへの下部断熱パネル３０や上部断熱パネル３１の取り付け作業を安全且つ速やかに行うことができる。
【００４２】
また、中間断熱パネル８０は、ボルト２０、２１等の固定部分がない分、着脱が容易になるため、例えば断熱パネル１１の交換を簡単に行うことができる。また、図１６に示すように複合パネル１が並べられた場合に、隣同士の複合パネル１に亘って中間断熱パネル８０を渡すこともでき、例えば寸法の大きな中間断熱パネル８０を用いて作業性を向上させることも可能になる。
【００４３】
なお、本実施の形態において、中間断熱パネル８０がさらに複数に分割され、断熱パネル１１全体が４つ以上に分割されていてもよい。
【００４４】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００４５】
例えば以上の実施の形態において、外壁パネル１０と、軸組Ａの取り付け部５０、６０との固定手段は、他の手段を用いてもよい。また、以上の実施の形態では、外壁パネル１０に対し下部断熱パネル３０と上部断熱パネル３１が着脱自在であったが、少なくとも上部断熱パネル３１が着脱自在であればよい。
【産業上の利用可能性】
【００４６】
本発明は、複合パネルを軸組に取り付ける際の断熱パネルの圧壊を防止する際に有用である。
【符号の説明】
【００４７】
１  複合パネル
１０  外壁パネル
１１  断熱パネル
２０  下部ボルト
２１  上部ボルト
３０  下部断熱パネル
３１  上部断熱パネル
３２、３３  貫通孔
４０  吊りベルト
５０  下部取り付け部
６０  上部取り付け部
７０、７２  裏当てプレート
７１、７３  ナット
Ａ  軸組
【図１】
0005692906.tif 000002
【図２】
0005692906.tif 000003
【図３】
0005692906.tif 000004
【図４】
0005692906.tif 000005
【図５】
0005692906.tif 000006
【図６】
0005692906.tif 000007
【図７】
0005692906.tif 000008
【図８】
0005692906.tif 000009
【図９】
0005692906.tif 000010
【図１０】
0005692906.tif 000011
【図１１】
0005692906.tif 000012
【図１２】
0005692906.tif 000013
【図１３】
0005692906.tif 000014
【図１４】
0005692906.tif 000015
【図１５】
0005692906.tif 000016
【図１６】
0005692906.tif 000017